(57)【特許請求の範囲】
【請求項１】
離隔して対向配置されたアルミニウム又は反射膜付きガラス製の背面基板及びガラス製の前面基板と、
前記背面基板及び前面基板の各々の端部を密封して放電空間を形成するシール材と、
前記背面基板と前面基板との間に介在され、複数個の孔が設けられ、表面に陽極酸化により誘電体膜を形成され、前記背面基板及び前面基板間に離隔して配置される一対の板状の放電電極と、
前記背面基板と前記放電電極との間、及び前記前面基板と前記放電電極との間に介在され、それらの間隔を維持させる複数個のスペーサと
前記一対の放電電極の端部を挾持するそれぞれコの字及び逆コの字状の凹部を備えた一対のアウトサイドシーリングシリコンゴムとを含み、
前記一対の板状の放電電極は、前記対向するシール材に隣接して配置された前記一対のアウトサイドシーリングゴムのコの字及び逆コの字状の凹部にそれぞれ挾持され、前記スペーサにより前記背面基板と前面基板との間隔を維持して背面基板と前面基板間に固定されることを特徴とする液晶表示装置のバックライト用交流型プラズマディスプレイパネル。
【請求項２】
前記前面基板の内側面上に塗布された蛍光体をさらに含むことを特徴とする請求項１に記載の液晶表示装置のバックライト用交流型プラズマディスプレイパネル。
【請求項３】
前記放電電極は、アルミニウム、クロム、銅及びニッケルよりなる群から選ばれるいずれか１つの金属板からなることを特徴とする請求項１に記載の液晶表示装置のバックライト用交流型プラズマディスプレイパネル。
【発明の詳細な説明】
【０００１】
【発明の属する技術分野】
本発明は、液晶表示装置に関し、より詳しくは、水銀による環境汚染を回避でき、且つ高輝度を実現できるバックライト用交流型プラズマディスプレイパネルに関する。
【０００２】
【従来の技術】
液晶表示装置は、画像表示装置の１つで、代表的な画像表示装置であるＣＲＴと比べて軽量、薄形及び低消費電力を実現することができる。これにより、液晶表示装置は、ＣＲＴの代わりに各種情報機器の端末機、又はビデオ機器などに用いられている。最近、このような液晶表示装置は、広い視野角を確保しつつ、色ずれの現象を防止することができるようになり、ＣＲＴに匹敵する高画質を達成している。
【０００３】
この種の液晶表示装置は、ＣＲＴとは異なり、自ら光を発しないため、別の光源を必要とする。従って、液晶表示装置は、表示部品である液晶パネル以外に光源としてバッグライトユニットを備えている。バックライトユニットは、実質的な光源であるランプ、導光板（ｌｉｇｈｔ  ｇｕｉｄｅ  ｐｌａｔｅ）及び複数個の光学板を含み、ランプとしては主に蛍光ランプが用いられる。
【０００４】
しかしながら、蛍光ランプは、水銀を用いた発光器具であるから、環境汚染の観点から今後その使用に制約があると予想される。また、蛍光ランプから出る光の均一度の向上、すなわち輝度向上のため備えられる導光板は、所定の厚みを維持しなければならないので、液晶表示装置の薄形化に阻害要素として作用する。つまり、蛍光ランプ及び導光板を含む従来のバックライトユニットは、今後の液晶表示装置に光源として利用することが困難である。
【０００５】
従って、水銀による環境汚染を防止するとともに、液晶表示装置の薄形化を図るために、光源としてプラズマディスプレイパネルを利用する技術が提案されている。プラズマディスプレイパネルは、液晶表示装置と同様に画像表示装置の１つであり、複雑な構造を有している。しかしながら、バックライト用プラズマディスプレイパネルは、図１乃至図３に示すように、一対の放電電極３ａ、３ｂ、３ｃを含む背面基板２と前面基板４が放電用ガス（図示せず）が充填された状態でシール材５により密封された構造を有する。ここで、図１は、対向放電型プラズマディスプレイパネルを、図２及び図３Ｒ＞３は、面放電型プラズマディスプレイパネルを各々示す。
【０００６】
【発明が解決しようとする課題】
しかしながら、従来のバックライト用プラズマディスプレイパネルは、水銀による汚染を回避でき、且つ液晶表示装置の薄形化に有利であるという利点を有するが、放電空間内でのガス放電が十分に生じないため、所望の輝度が得られない。このため、バックライト用プラズマディスプレイパネルが備えられた液晶表示装置は、高画質の実現には難点があるという問題点があった。
【０００７】
従って、本発明は、上記のような従来のバックライト用プラズマディスプレイパネルにおける問題点を解決するために提案されたものであって、本発明の目的は、高輝度を実現できるバックライト用交流型プラズマディスプレイパネルを提供することにある。
【０００８】
【課題を解決するための手段】
上記目的を達成するためになされた、本発明による液晶表示装置のバックライト用交流型プラズマディスプレイパネルは、離隔して対向配置されたアルミニウム又は反射膜付きガラス製の背面基板及びガラス製の前面基板と、前記背面基板及び前面基板の各々の端部を密封して放電空間を形成するシール材と、前記背面基板と前面基板との間に介在され、複数個の孔が設けられ、表面に陽極酸化により誘電体膜を形成され、前記背面基板及び前面基板間に離隔して配置される一対の板状の放電電極と、前記背面基板と前記放電電極との間、及び前記前面基板と前記放電電極との間に介在され、それらの間隔を維持させる複数個のスペーサと前記一対の放電電極の端部を挾持するそれぞれコの字及び逆コの字状の凹部を備えた一対のアウトサイドシーリングシリコンゴムとを含み、
前記一対の板状の放電電極は、前記対向するシール材に隣接して配置された前記一対のアウトサイドシーリングゴムのコの字及び逆コの字状の凹部にそれぞれ挾持され、前記スペーサにより前記背面基板と前面基板との間隔を維持して背面基板と前面基板間に固定されることを特徴とする。
【０００９】
また、前面基板の内側面上には蛍光体が塗布されることが好ましい。
また、前記放電電極は、アルミニウム、クロム、銅及びニッケルよりなる群から選ばれるいずれか１つの金属板からなることが好ましい。
【００１０】
【発明の実施の形態】
次に、本発明による液晶表示装置のバックライト用交流型プラズマディスプレイパネルの実施の形態の具体例を図面を参照しながら説明する。図４及び図５は、本発明の一実施例によるバックライト用交流型プラズマディスプレイパネルを示す断面図及び斜視図である。
【００１１】
図４及び図５に示すように、背面基板１２と前面基板１４が所定の間隔で離隔して対向配置される。一対の放電電極１３は、背面基板１２と前面基板１４との間の空間に基板１２、１４各々と接触することなく、電極相互間に適切な間隔をもって離隔して配置される。また、複数個のスペーサ１６が背面基板１２と放電電極１３との間及び前面基板１４と放電電極１３との間にそれら間の間隔維持のため介在される。背面基板１２と前面基板１４の端部がシール材１５により密封される。放電ガス（図示せず）がシール材１５により密封された基板１２、１４間の放電空間内に充填される。
【００１２】
背面基板１２は、反射率に優れるアルミニウム基板からなることが好ましいが、反射膜付きガラス基板を使用してもよい。前面基板１４は、光が透過するように、ガラス基板からなることが好ましい。白色発光蛍光体（図示せず）が前面基板１４の内側面上に塗布される。放電電極１３は、アルミニウム、クロム、銅及びニッケルなどからなる群から選ばれるいずれか１つの金属板からなる。放電電極１３は、次のような工程を進行することにより形成される。
【００１３】
金属板の所定の箇所に、ドリルを用いたパンチング工程により所定数の孔Ｈが形成され、内部に孔Ｈが形成された金属板は、二等分される。二等分された一対の金属板に陽極酸化工程を実施し、その結果、各金属板の表面上に数μｍの厚みで誘電膜１３ａが形成される。誘電膜１３ａは、交流放電が生ずるようにするため形成したものである。二等分された一対の金属板は、放電電圧及び輝度効率を考慮して適宜の間隔で相互離隔して背面基板１２と前面基板１４との間に固定配置される。
【００１４】
ここで、放電電極の固定は、各放電電極の端部をアウトサイドシーリングシリコンゴム２０のコの字及び逆コの字状の溝に各々挟持した状態で、対向するシール材１５に隣接する位置に、背面基板１２上に印刷されたシールガラスペーストにより固定されることによって行われる。
【００１５】
上述したような構造を有するバックライト用交流型プラズマディスプレイパネルによると、放電電極１３にガス流れ経路を提供する複数個の孔Ｈが設けられているので、ガスの放電時、放電電極１３間の領域はもちろん、放電空間内で放電電極１３を中心としてその下部及び上部領域の両方に放電が生ずることができる。従って、本発明のバックライト用プラズマディスプレイパネルは、ＵＶの生成が増加するため、従来のものと比べて放電効率及び輝度が向上する。
【００１６】
尚、本発明は、本実施例に限られるものではない。本発明の趣旨から逸脱しない範囲内で多様に変更実施することが可能である。
【００１７】
【発明の効果】
以上説明したように、本発明は、液晶表示装置のバックライトとしてプラズマディスプレイパネルを用いるので、水銀による環境汚染を回避することができる。
【００１８】
また、本発明は、ガス流れ経路を提供できる複数個の孔Ｈを放電電極に設け、背面基板及び前面基板と接触することなく、放電電極相互間を離隔して配置することによって、前記放電電極間の領域はもちろん、前記放電電極の下部及び上部領域の両方に放電が生ずることができるので、高輝度を実現することができるので、その結果、高画質の液晶表示装置を達成することができる。
【図面の簡単な説明】
【図１】従来のバックライト用対向放電型プラズマディスプレイパネルを示す断面図である。
【図２】従来のバックライト用面放電型プラズマディスプレイパネルを示す断面図である。
【図３】従来のバックライト用面放電型プラズマディスプレイパネルを示す断面図である。
【図４】本発明の一実施例によるバックライト用交流型プラズマディスプレイパネルを示す断面図である。
【図５】本発明の一実施例によるバックライト用交流型プラズマディスプレイパネルを示す斜視図である。
【符号の説明】
１２  背面基板
１３  放電電極
１３ａ  誘電膜
１４  前面基板
１５  シール材
１６  スペーサ
２０  アウトサイドシーリングシリコンゴム
Ｈ  孔
【図１】
0003852074.tif 000002
【図２】
0003852074.tif 000003
【図３】
0003852074.tif 000004
【図４】
0003852074.tif 000005
【図５】
0003852074.tif 000006